(57)【要約】      （修正有）【課題】金型での成形が可能な形状でありながら、スダレ貼りで空間を生じないラップタイルを提供する。【解決手段】ラップタイルは、第１辺１１に第１切欠部１６と第２切欠部を設けてあるので、第１辺１１は、どの部分でも厚みのある形状になる。従って、金型による成形時に隅の部分にまで原料が入る形状であるから、ラップタイルは金型を使用して成形することができる。施工時に第１辺１１に重ねられる第３辺１３には第１切欠部１６に進入する突合部１９を設けたので、スダレ貼りしたときに第１切欠部１６が空間として残らない。第２切欠部は第３辺１３と残りの第４辺１４とのコーナー部分が上から重なるので空間にならない。ラップタイルは、金型による成形が可能でありながら、スダレ貼りしたときに４枚のラップタイルがくっつき合う部分に空間が発生しない。【選択図】図３
0003142641.tif 000002
【実用新案登録請求の範囲】
【請求項１】
長方形のタイルの第１辺とこれに隣り合う第２辺には上向きの斜面である上向きラップ部を設け、他の２辺には下向きの斜面である下向きラップ部を設け、
隣り合う２枚のタイル同士では、一方のタイルの前記上向きラップ部に他方のタイルの前記下向きラップ部を上から重ね合わせる施工を可能にしたラップタイルにおいて、
前記第１辺には、前記第２辺とのコーナーを形成する第１端部において前記上向きラップ部の一部を切欠いた形態の第１切欠部を設け、また前記第１端部とは別の第２端部において前記上向きラップ部の一部を切欠いた形態の第２切欠部を設け、
施工時に前記第１辺に重ねられる第３辺には、施工時に突き合わせ状に前記第１切欠部に進入する突合部を設けた
ことを特徴とするラップタイル。
【請求項２】
請求項１記載のタイルにおいて、
前記上向きラップ部、前記下向きラップ部とも、前記斜面は曲面である
ことを特徴とするラップタイル。
【考案の詳細な説明】
【技術分野】
【０００１】
本考案は、ラップタイルの技術分野に属する。
【背景技術】
【０００２】
タイルを施工する際に隣接するタイル同士を重なり合わせると、目地が不要となって施工時間を短縮できるので、そうした重なり合わせ（ラップ）を可能にしたタイルがある。例えば実用新案登録第３０４４３６０号公報には、上下方向ばかりでなく左右方向に隣接するタイル同士も重なり合わせることを可能にしたタイルが開示されている。
【特許文献１】実用新案登録第３０４４３６０号公報
【考案の開示】
【考案が解決しようとする課題】
【０００３】
特許文献１に開示されているタイルは、２組の対角のうちの１組について面取り状にしないと、つまりタイルの２隅を線にしないと完全なラップにできなかった。
しかし、この隅部分を線にするには、タイル成形時に上型と下型がぶつかってしまう金型構造にしなければならないので、このような成形は実施が困難であった。
【０００４】
逆に言えば、成形可能にするには２隅の部分に原料が入るような面にしなければならないということであるが、そのようにすると、スダレ貼りでは４個のタイルがくっつき合う部分に空間ができてしまうことになる。
【課題を解決するための手段】
【０００５】
請求項１記載のラップタイルは、
長方形のタイルの第１辺とこれに隣り合う第２辺には上向きの斜面である上向きラップ部を設け、他の２辺には下向きの斜面である下向きラップ部を設け、
隣り合う２枚のタイル同士では、一方のタイルの前記上向きラップ部に他方のタイルの前記下向きラップ部を上から重ね合わせる施工を可能にしたラップタイルにおいて、
前記第１辺には、前記第２辺とのコーナーを形成する第１端部において前記上向きラップ部の一部を切欠いた形態の第１切欠部を設け、また前記第１端部とは別の第２端部において前記上向きラップ部の一部を切欠いた形態の第２切欠部を設け、
施工時に前記第１辺に重ねられる第３辺には、施工時に突き合わせ状に前記第１切欠部に進入する突合部を設けた
ことを特徴とする。
【０００６】
請求項１記載のラップタイルは、第１辺には、第２辺とのコーナーを形成する第１端部において上向きラップ部の一部を切欠いた形態の第１切欠部を設け、また第１端部とは別の第２端部において上向きラップ部の一部を切欠いた形態の第２切欠部を設けてある。
【０００７】
第１切欠部及び第２切欠部を設けたことにより、第１辺は、第１端部及び第２端部を含めて、どの部分でも上下方向に厚みのある形状になる。すなわち、第１端部も第２端部も、金型による成形時に隅の部分にまで原料が入る形状であるから、金型を使用して成形することができる。
【０００８】
施工時に第１辺に重ねられる第３辺には、施工時に突き合わせ状に第１切欠部に進入する突合部を設けたので、スダレ貼りしたときに第１切欠部が空間として残らない。一方、第２切欠部については第３辺と残りの１辺（第４辺）とのコーナー部分が上から重なるので、空間にはならない。
【０００９】
従って、請求項１のラップタイルは、金型による成形が可能でありながら、スダレ貼りしたときに、４個のタイルがくっつき合う部分に空間ができることがない。
また、請求項１のラップタイルは、第１辺と第３辺、第２辺と第４辺とがラップするし、スダレ貼りしたときに４個のタイルがくっつき合う部分にも空間ができないから、目地施工は不要である。
【００１０】
しかも、接着剤貼り施工の場合には、ラップタイルが接着剤を覆ってしまって接着剤に紫外線が直に当たらないから、接着剤の経年変化が少なくなりタイル施工面が長寿命化する。
【００１１】
なお、上向きラップ部、下向きラップ部とも、斜面は平面であってもよいが、請求項２記載のように、上向きラップ部、下向きラップ部とも曲面にするのが好ましい。
【考案を実施するための最良の形態】
【００１２】
次に、本考案の実施例等により考案の実施の形態を説明する。なお、本考案は下記の実施例等に限定されるものではなく、本考案の要旨を逸脱しない範囲でさまざまに実施できることは言うまでもない。
［実施例］
図１に示すように、本実施例のラップタイル１は略長方形をしている。２つの長辺の一方（図１（ａ）において上側の辺）が第１辺１１であり、以下時計回りに第２辺１２、第３辺１３、第４辺１４となる。
【００１３】
第１辺１１と、これに隣り合う第２辺１２には上向きの斜面（断面形状が円弧状の曲面）である上向きラップ部１５ａ、１５ｂが設けられている。
また、第１辺１１の第２辺１２側の第１端部には上向きラップ部１５ａの一部を切欠いた形態の第１切欠部１６が設けられ、第１端部とは別の第２端部には上向きラップ部１５ａの一部を切欠いた形態の第２切欠部１７が設けられている。
【００１４】
切り込み幅（図１（ａ）にて左右方向の寸法）は第１切欠部１６の方が第２切欠部１７よりも大きいが、切り込み深さ（図１（ａ）にて上下方向の寸法）は同じである。
一方、第３辺１３と第４辺１４とには下向きの斜面（上向きラップ部１５ａ、１５ｂと同様に断面形状が円弧状の曲面）である下向きラップ部１８ａ、１８ｂが設けられている。
【００１５】
そして、第３辺１３の第２辺１２側の端部には突合部１９が設けられている。
図示する通り、突合部１９には下向きラップ部１８ａとなる下向きの斜面は存在せず（下向きラップ部１８ａが途絶していて）、突合部１９の側面とラップタイル１の表面２０、裏面２１とは垂直になっている。
【００１６】
突合部１９は、図１（ａ）に示される通り台形状であるが、その先端側半分ほどを第１切欠部１６に進入させ得る寸法となっている。
図２に示すように、このラップタイル１Ａ〜１Ｄ（各々を区別するためにＡ、Ｂ、Ｃ、Ｄを付記）をスダレ貼りすると、ラップタイル１Ａの第３辺１３（下向きラップ部１８ａ）がラップタイル１Ｂの第１辺１１（上向きラップ部１５ａ）に重なり、ラップタイル１Ａの第４辺１４（下向きラップ部１８ｂ）がラップタイル１Ｄの第２辺１２（上向きラップ部１５ｂ）に重なる。
【００１７】
また、ラップタイル１Ａの突合部１９がラップタイル１Ｂの第１切欠部１６に進入し、先端をラップタイル１Ｂに突き合わせ状にしている。ラップタイル１Ｂの第２切欠部１７には、ラップタイル１Ａの第３辺１３（下向きラップ部１８ａ）と第４辺１４（下向きラップ部１８ｂ）のコーナー部分が重なっている。
【００１８】
ラップタイル１Ｂとラップタイル１Ｃの重なり関係、ラップタイル１Ｃとラップタイル１Ｄの重なり関係、それらの突合部１９、第１切欠部１６、第２切欠部１７についても同様である。
【００１９】
図３に拡大して示すように、４枚のラップタイル１Ａ〜１Ｄがくっつき合う部分では、ラップタイル１Ａの第３辺１３がラップタイル１Ｂの第１辺１１に重なり、またラップタイル１Ｂの第２切欠部１７を覆い、ラップタイル１Ａの第４辺１４がラップタイル１Ｄの第２辺１２に重なり、ラップタイル１Ｂの第４辺１４がラップタイル１Ｃの第２辺１２に重なり、ラップタイル１Ｄの第３辺１３がラップタイル１Ｃの第１辺１１に重なり、ラップタイル１Ｃの第１切欠部１６にラップタイル１Ｄの突合部１９が進入している。従って、このようにスダレ貼りしたときに４枚のラップタイル１Ａ〜１Ｄがくっつき合う部分でも空間ができない。
【００２０】
以上のように、実施例のラップタイル１は、第１辺１１には、第２辺１２とのコーナーを形成する第１端部において上向きラップ部１５ａの一部を切欠いた形態の第１切欠部１６を設け、また第１端部とは別の第２端部において上向きラップ部1１５ａの一部を切欠いた形態の第２切欠部１７を設けてあるので、第１辺１１は、第１端部及び第２端部を含めて、どの部分でも上下方向に厚みのある形状になる。すなわち、第１端部も第２端部も、金型による成形時に隅の部分にまで原料が入る形状であるから、ラップタイル１は金型を使用して成形することができる。
【００２１】
また、施工時に第１辺１１に重ねられる第３辺１３には、施工時に突き合わせ状に第１切欠部１６に進入する突合部１９を設けたので、スダレ貼りしたときに第１切欠部１６が空間として残らない。一方、第２切欠部１７については第３辺１３と残りの第４辺１４とのコーナー部分が上から重なるので、空間にはならない。
【００２２】
従って、ラップタイル１は、金型による成形が可能でありながら、スダレ貼りしたときに、４枚のラップタイル１がくっつき合う部分に空間が発生しない。
また、ラップタイル１は、第１辺１１と第３辺１３、第２辺１２と第４辺１４とがラップするし、スダレ貼りしたときに４枚のラップタイル１がくっつき合う部分に空間が発生しないから、目地施工は不要である。
【００２３】
しかも、接着剤貼り施工の場合には、ラップタイル１が接着剤を覆ってしまって接着剤に紫外線が直に当たらないから、接着剤の経年変化が少なくなりタイル施工面が長寿命化する。
【図面の簡単な説明】
【００２４】
【図１】実施例のラップタイルの平面図（ａ）、左側面図（ｂ）、正面図（ｃ）、右側面図（ｄ）及びＡ−Ａ断面図（ｅ）。
【図２】実施例のラップタイルをスダレ貼りした状態での平面図（ａ）、正面図（ｂ）及びＢ−Ｂ断面図（ｃ）。
【図３】図２のＥ部分の拡大図。
【符号の説明】
【００２５】
１・・・ラップタイル、
１１・・・第１辺、
１２・・・第２辺、
１３・・・第３辺、
１４・・・第４辺、
１５ａ、１５ｂ・・・上向きラップ部、
１６・・・第１切欠部、
１７・・・第２切欠部、
１８ａ、１８ｂ・・・下向きラップ部、
１９・・・突合部、
２０・・・表面、
２１・・・裏面。
【図１】
0003142641.tif 000003
【図２】
0003142641.tif 000004
【図３】
0003142641.tif 000005